(57)【特許請求の範囲】
【請求項１】
吸込口と排気口を有する本体ケースと、この本体ケース内の前記吸込口と前記排気口を結ぶ風路に設けた主加熱手段と補助加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した吐出口を有した定流量弁とを設け、前記補助加熱手段は前記液体微細化手段と前記排気口との間に設け、前記補助加熱手段の前記液体微細化手段側にエリミネータを設けたものであって、前記補助加熱手段と前記エリミネータとは前記送風手段から発生した風が前記エリミネータを通過し通過した前記風がそのままの方向で前記補助加熱手段へ入るような並行に設けたことを特徴とするミストサウナ機能付浴室暖房乾燥機。
【発明の詳細な説明】
【技術分野】
【０００１】
本発明は、液体微細化装置とそれを用いたサウナ装置に関するものである。
【背景技術】
【０００２】
従来、この種のミストサウナ機能付浴室暖房乾燥機は、液体微細化手段は、上方および下方に開口部を有する筒状の経路と、筒状の経路内に設けた回転手段と、筒状の経路の下部に貯水部を有し、回転手段は、上下方向に向けて配置した回転軸と、回転軸に固定されるとともに貯水部から水を吸上げる揚水管と、この外面の回転軸の軸方向に所定間隔で固定された複数の回転板を設け、熱交換器を貯水部の直下近傍まで伸長させて設けたものが知られていた（例えば、特許文献１参照）。
【先行技術文献】
【特許文献】
【０００３】
【特許文献１】特開２０１２−２５００１５号公報
【発明の概要】
【発明が解決しようとする課題】
【０００４】
このような従来のミストサウナ機能付浴室暖房乾燥機においては、圧力損失を低減しようとすると液体微細化手段と排気口との間の仕切り板の高さを低くして排気口の風が通過する面積を広がるが液体微細化手段の水滴が排気口へ飛んでいき入浴者にあたって不快感を生じる、という課題を有していた。
【０００５】
そこで本発明は、圧力損失を低減せずに排気口からの水滴滴下防止による入浴者の不快感をなくすことができるミストサウナ機能付浴室暖房乾燥機を提供することを目的とする。
【課題を解決するための手段】
【０００６】
そして、この目的を達成するために、本発明は、吸込口と排気口を有する本体ケースと、この本体ケース内の前記吸込口と前記排気口を結ぶ風路に設けた主加熱手段と補助加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した吐出口を有した定流量弁とを設け、前記補助加熱手段は前記液体微細化手段と前記排気口との間に設け、前記補助加熱手段の前記液体微細化手段側にエリミネータを設けたこととしたものであり、これにより所期の目的を達成するものである。
【発明の効果】
【０００７】
本発明によれば、吸込口と排気口を有する本体ケースと、この本体ケース内の前記吸込口と前記排気口を結ぶ風路に設けた主加熱手段と補助加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した吐出口を有した定流量弁とを設け、前記補助加熱手段は前記液体微細化手段と前記排気口との間に設け、前記補助加熱手段の前記液体微細化手段側にエリミネータを設けた、という構成にしたことにより、液体微細化手段から発生した一部の水滴はエリミネータを通過し、前記一部の水滴は補助加熱手段で気化されることとなるので、圧力損失を低減せずに排気口からの水滴滴下防止による入浴者の不快感をなくすことができる、という効果を得ることができる。
【図面の簡単な説明】
【０００８】
【図１】本発明の実施の形態１のミストサウナ機能付浴室暖房乾燥機を浴室に設置した状態を示す斜視図
【図２】同ミストサウナ機能付浴室暖房乾燥機の側面構成図
【発明を実施するための形態】
【０００９】
本発明のミストサウナ機能付浴室暖房乾燥機は、吸込口と排気口を有する本体ケースと、この本体ケース内の前記吸込口と前記排気口を結ぶ風路に設けた主加熱手段と補助加熱手段および送風手段と、この送風手段と前記排気口間の風路内に設けた液体微細化手段とを備え、前記液体微細化手段は、垂直方向に配置され、上方開口部および下方開口部を有する筒状の経路と、この筒状の経路内に設けた回転手段と、前記筒状の経路の下部に設けた貯水部を一対の壁を有したミストケースと、前記貯水部に液体を供給する液体供給手段と、前記回転手段は、上下方向に向けて配置した回転軸と、この回転軸を回転させる回転モータと、前記回転軸に固定されるとともに前記貯水部から水を吸上げる揚水管と、この揚水管の外面の前記回転軸の軸方向に所定間隔で固定された複数の回転板とを有し、前記液体供給手段は、液体を移送し前記貯水部に液体を供給する給水管を介した吐出口を有した定流量弁とを設け、前記補助加熱手段は前記液体微細化手段と前記排気口との間に設け、前記補助加熱手段の前記液体微細化手段側にエリミネータを設けた、という構成を有する。
【００１０】
これにより、液体微細化手段から発生した一部の水滴はエリミネータを通過し、前記一部の水滴は補助加熱手段で気化されることとなるので、圧力損失を低減せずに排気口からの水滴滴下防止による入浴者の不快感をなくすことができる、という効果を奏する。
【００１１】
また、補助加熱手段とエリミネータとは並行に設けた、という構成にしてもよい。
【００１２】
これにより、送風手段から発生した風がエリミネータを通過し通過した風がそのままの方向で補助加熱手段へ入ることとなるので、圧力損失を低減させて騒音を低減することができる、という効果を奏する。
【００１３】
以下、本発明の実施の形態について図面を参照しながら説明する。
【００１４】
（実施の形態１）
図１に示すように、浴室１は浴槽２と、浴槽２と壁などで分断されていない空間である洗い場空間３を備え、天井面４には点検口５および開口部６があり、浴室１の天井裏空間にミストサウナ機能付浴室暖房乾燥機を形成する本体ケース７を設け、開口部６を介して浴室１に連通している。
【００１５】
なお、図１に示す点検口５は洗い場空間３の直上、開口部６は浴槽２の直上に位置している。
【００１６】
図２に示すように、ミスト機能付浴室暖房乾燥機は、浴室１（図１参照）の天井面４（図１参照）にパネル１０が設置され、吸込口８と排気口９を有する方形状の耐熱性の良いＡＢＳ等の樹脂製の本体ケース７と、この本体ケース７内の吸込口８と排気口９を結ぶ風路２１に設けた加熱手段としての第１熱交換器１１と補助加熱手段としての第２熱交換器１２および送風手段としてのシロッコファンである循環ファン１３と、この送風手段としての循環ファン１３と排気口９との間の風路２１内に設けた液体微細化手段としての加湿部１４とを備え、液体微細化手段としての加湿部１４は、垂直方向に配置され設けた回転手段２２と、回転手段２２の下部に設けた樹脂製の貯水部２３を一対の壁を有したミストケース２４と、樹脂製の貯水部２３に液体を供給する液体供給手段としての給水口１６と、回転手段２２は、上下方向に向けて配置した回転軸２５と、この回転軸２５を回転させるＤＣモータ（高速回転（４，０００ｒｐｍ）に適しているので）である回転モータ２６と、回転軸２５に固定されるとともに貯水部２３から水を吸上げる揚水管２７と、この揚水管２７の外面の回転軸２５の軸方向に所定間隔で固定された複数の回転板（図示せず）とを有し、液体供給手段としての給水口１６は、液体（水）を移送し貯水部２３に液体を供給する給水管（図示せず）を介し定流量弁（図示せず）に設けた、という構成を有する。
【００１７】
また、加湿部１４と第２熱交換器１２すなわち排気口９側との間に大粒の水滴を取り除くエリミネータ１５を設ける構成とする。
【００１８】
また、ミスト機能付浴室暖房乾燥機は、本体ケース７の点検口５側の外部に浴室１の空気を屋外に排出する換気手段としての換気ファンモータ１７を備えた換気部１８をねじ止めさせて設け、換気部１８と本体ケース７を連通し、連通する開口形状（開口面積に相当）を調節するダンパ２８を備え、浴室１の換気を行うことができる。
【００１９】
なお、貯水部２３の形状は、上方は方形状で最下部は水が溜まる凹状の窪みで、上方から下方に行くに従い傾斜状になっており、具体的な説明は省略するが、加湿部１４の揚水管２７の先端が前記窪み底面の近傍（６ｍｍ程度）に配置し水を吸い上げる構造となっておる。
【００２０】
これにより、液体微細化手段から発生した一部の水滴（例えば、エリミネータに付着した水滴が循環風によって飛ばされる、あるいは、水滴がエリミネータに付着せず隙間を通過する）はエリミネータを通過し、前記一部の水滴は第２熱交換器で気化されることとなるので、加湿部と排気口との連結する開口を大きくさせて圧力損失を低減せずに排気口からの水滴滴下防止による入浴者の不快感をなくすことができる、という効果を奏する。
【００２１】
また、第２熱交換器１２とエリミネータ１５を並行に設けた、という構成にしている。
【００２２】
並行とは、第２熱交換器１２をエリミネータ１５に対して並行にした構造、ということである。
【００２３】
このような構成にすることで、送風手段から発生した風がエリミネータを通過し通過した風がそのままの方向で第２熱交換器へ入るので、圧力損失を低減させて騒音を低減することができる、という効果を奏することとなる。
【産業上の利用可能性】
【００２４】
本発明にかかるミストサウナ機能付浴室暖房乾燥機は、暖房装置と加湿装置を一体に設けた空気調和装置の用途にも適用できる。
【符号の説明】
【００２５】
１    浴室
２    浴槽
３    洗い場空間
４    天井面
５    点検口
６    開口部
７    本体ケース
８    吸込口
９    排気口
１０  パネル
１１  第１熱交換器
１２  第２熱交換器
１３  循環ファン
１４  加湿部
１５  エリミネータ
１６  給水口
１７  換気ファンモータ
１８  換気部
２１  風路
２２  回転手段
２３  貯水部
２４  ミストケース
２５  回転軸
２６  回転モータ
２７  揚水管
２８  ダンパ
【図１】
0005906400.tif 000002
【図２】
0005906400.tif 000003